(57)【要約】【課題】手動式画像読取装置の読み取り検査における作業効率を向上させることができる検査装置および検査方法を提供する。【解決手段】検査装置２０は、マウススキャナー４０を検査する複数の検査画像シート２８０を円周２２８上に配列する検査円盤２２０と、検査円盤２２０を円周２２８に沿って回転させるステップモーター２３０と、検査画像シート２８０を読み取り可能にマウススキャナー４０を検査円盤２２０に配列された検査画像シート２８０から離して円周２２８上に保持する検査台２４０とを備える。【選択図】図１
2010262505.tif 000002
【特許請求の範囲】
【請求項１】
原稿を読み取る手動式画像読取装置を検査する検査装置であって、
前記手動式画像読取装置を検査する複数の検査画像を円周上に配列する検査円盤と、
前記検査円盤を前記円周に沿って回転させる円盤回転部と、
前記検査画像を読み取り可能に前記手動式画像読取装置を前記検査円盤に配列された検査画像から離して前記円周上に保持する保持部と
を備える検査装置。
【請求項２】
請求項１に記載の検査装置であって、更に、
前記円盤回転部による前記検査円盤の回転を制御することによって、前記装置保持部に保持された前記手動式画像読取装置に前記複数の検査画像の各々を対面させる回転制御部と、
前記回転制御部による前記検査円盤の回転に同期して、前記手動式画像読取装置に対面する検査画像を読み取った画像データを前記手動式画像読取装置から取得する画像取得部と、
前記画像取得部によって取得された画像データに基づいて前記手動式画像読取装置を診断する診断部と
を備える検査装置。
【請求項３】
前記保持部は、前記検査画像を読み取り可能に複数の手動式画像読取装置を前記検査円盤に配列された検査画像から離して前記円周上に配列して保持する請求項１または請求項２に記載の検査装置。
【請求項４】
請求項１ないし請求項３のいずれか一項に記載の検査装置であって、
前記複数の検査画像は、
（ａ）白色および黒色にそれぞれ塗り潰された二つの検査画像、
（ｂ）等間隔に複数の平行線がそれぞれ異なる角度で描かれた複数の検査画像、
（ｃ）白黒の市松模様が描かれた検査画像、
（ｄ）赤色，緑色，青色にそれぞれ塗り潰された三つの検査画像
の少なくとも一つを含む、検査装置。
【請求項５】
原稿を読み取る手動式画像読取装置を検査する検査方法であって、
前記手動式画像読取装置を検査する複数の検査画像を検査円盤の円周上に配列する工程と、
前記検査画像を読み取り可能に前記手動式画像読取装置を前記検査円盤に配列された検査画像から離して前記円周上に保持する工程と、
前記手動式画像読取装置を保持した状態で、前記検査円盤を前記円周に沿って回転させることによって、前記複数の検査画像の各々を前記手動式画像読取装置に対面させる工程と、
前記検査円盤の回転に同期して、前記手動式画像読取装置に対面する検査画像を読み取った画像データを前記手動式画像読取装置から取得する工程と、
前記画像データに基づいて前記手動式画像読取装置を診断する工程と
を備える検査方法。
【発明の詳細な説明】
【技術分野】
【０００１】
本発明は、手動式画像読取装置（マウススキャナー）を検査する検査装置および検査方法に関する。
【背景技術】
【０００２】
従来、原稿を読み取る画像読取装置（スキャナー）として、ハンディー方式とも呼ばれ、手動で原稿上を移動させることによって原稿を読み取る手動式画像読取装置（マウススキャナー）が知られている（特許文献１）。一般的に、手動式画像読取装置の工場出荷時や修理時には、その手動式画像読取装置が原稿を適切に読み取ることができるか否かの読み取り検査が実施される。この読み取り検査では、検査用に用意された種々の画像ごとに手動式画像読取装置を手動で位置合わせをして実際に画像を読み取り、これによって得られた画像データを評価する。
【先行技術文献】
【特許文献】
【０００３】
【特許文献１】特開平１１−３４５０７４号公報
【発明の概要】
【発明が解決しようとする課題】
【０００４】
しかしながら、従来、手動式画像読取装置の読み取り検査について十分な検討がなされていなかった。
【０００５】
本発明は、上記した課題を踏まえ、手動式画像読取装置の読み取り検査における作業効率を向上させることができる検査装置および検査方法を提供することを目的とする。
【課題を解決するための手段】
【０００６】
本発明は、上述の課題の少なくとも一部を解決するためになされたものであり、以下の形態または適用例として実現することが可能である。
【０００７】
［適用例１］  適用例１の検査装置は、原稿を読み取る手動式画像読取装置を検査する検査装置であって、前記手動式画像読取装置を検査する複数の検査画像を円周上に配列する検査円盤と、前記検査円盤を前記円周に沿って回転させる円盤回転部と、前記検査画像を読み取り可能に前記手動式画像読取装置を前記検査円盤に配列された検査画像から離して前記円周上に保持する保持部とを備えることを特徴とする。適用例１の検査装置によれば、検査円盤を回転させることによって複数の検査画像の各々に手動式画像読取装置を対面させることができるため、手動式画像読取装置の読み取り検査における作業効率を向上させることができる。
【０００８】
［適用例２］  適用例１の検査装置は、更に、前記円盤回転部による前記検査円盤の回転を制御することによって、前記装置保持部に保持された前記手動式画像読取装置に前記複数の検査画像の各々を対面させる回転制御部と、前記回転制御部による前記検査円盤の回転に同期して、前記手動式画像読取装置に対面する検査画像を読み取った画像データを前記手動式画像読取装置から取得する画像取得部と、前記画像取得部によって取得された画像データに基づいて前記手動式画像読取装置を診断する診断部とを備えても良い。適用例２の検査装置によれば、複数の検査画像の各々について、手動式画像読取装置に対する位置合わせから、画像データの取得、手動式画像読取装置の診断までの一連の作業を検査装置で行うことができるため、手動式画像読取装置の読み取り検査における作業効率を更に向上させることができる。
【０００９】
［適用例３］  適用例１または適用例２の検査装置において、前記保持部は、前記検査画像を読み取り可能に複数の手動式画像読取装置を前記検査円盤に配列された検査画像から離して前記円周上に配列して保持しても良い。適用例３の検査装置によれば、複数の手動式画像読取装置を一度に検査することができるため、手動式画像読取装置の読み取り検査における作業効率を更に向上させることができる。
【００１０】
［適用例４］  適用例１ないし適用例３のいずれかの検査装置において、前記複数の検査画像は、（ａ）白色および黒色にそれぞれ塗り潰された二つの検査画像、（ｂ）等間隔に複数の平行線がそれぞれ異なる角度で描かれた複数の検査画像、（ｃ）白黒の市松模様が描かれた検査画像、（ｄ）赤色，緑色，青色にそれぞれ塗り潰された三つの検査画像の少なくとも一つを含むとしても良い。適用例４の検査装置によれば、（ａ）の検査画像を含む場合には、手動式画像読取装置によって読み取られた画像データの明るさを検査することができ、（ｂ）の検査画像を含む場合には、手動式画像読取装置によって読み取られた画像データにおける画素欠損を検査することができ、（ｃ）の検査画像を含む場合には、手動式画像読取装置によって読み取られた画像データにおける拡大誤差を検査することができ、（ｄ）の検査画像を含む場合には、手動式画像読取装置によって読み取られた画像データの色味を検査することができる。
【００１１】
［適用例５］  適用例５の検査方法は、原稿を読み取る手動式画像読取装置を検査する検査方法であって、前記手動式画像読取装置を検査する複数の検査画像を検査円盤の円周上に配列する工程と、前記検査画像を読み取り可能に前記手動式画像読取装置を前記検査円盤に配列された検査画像から離して前記円周上に保持する工程と、前記手動式画像読取装置を保持した状態で、前記検査円盤を前記円周に沿って回転させることによって、前記複数の検査画像の各々を前記手動式画像読取装置に対面させる工程と、前記検査円盤の回転に同期して、前記手動式画像読取装置に対面する検査画像を読み取った画像データを前記手動式画像読取装置から取得する工程と、前記画像データに基づいて前記手動式画像読取装置を診断する工程とを備えることを特徴とする。適用例５の検査方法によれば、検査円盤を回転させることによって複数の検査画像の各々に手動式画像読取装置を対面させることができるため、手動式画像読取装置の読み取り検査における作業効率を向上させることができる。
【００１２】
本発明の形態は、検査装置や検査方法に限るものではなく、検査装置を制御する制御装置、検査装置を制御するプログラムなど他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１３】
【図１】検査システムの外観構成を示す説明図である。
【図２】検査装置の検査円盤を主に示す説明図である。
【図３】検査システムの電気的な構成を示す説明図である。
【図４】検査システムのパーソナルコンピューターが実行する読み取り検査処理を示すフローチャートである。
【図５】他の実施形態における検査円盤および検査台を主に示す説明図である。
【発明を実施するための形態】
【００１４】
以上説明した本発明の構成および作用を一層明らかにするために、以下本発明を適用した検査システムについて説明する。
【００１５】
Ａ．実施例：
Ａ１．検査システムの構成：
図１は、検査システム１０の外観構成を示す説明図である。検査システム１０は、手動式画像読取装置であるマウススキャナー４０の読み取り機能を検査するシステムである。本実施例では、検査システム１０は、検査の対象機器であるマウススキャナー４０を検査する検査装置２０と、マウススキャナー４０の検査を制御するパーソナルコンピューター３０とを備える。
【００１６】
検査システム１０の検査装置２０は、基台２１０と、検査円盤２２０と、ステップモーター２３０と、検査台２４０と、クランプ２５０と、位置検出部２６０とを備える。
【００１７】
検査装置２０の基台２１０は、検査装置２０を構成する各部の荷重を受け持つ基礎構造体である。本実施例では、基台２１０は、矩形状に成形された金属製の板材である。
【００１８】
検査装置２０の検査円盤２２０は、検査画像シート２８０を保持する複数の凹部２２３が形成された上面２２２を備える円盤である。本実施例では、検査円盤２２０は、中央に貫通孔が空いた金属製の環状円盤であり、検査円盤２２０の外周面には、ステップモーター２３０に噛み合う歯車２２４が形成されている。検査画像シート２８０は、マウススキャナー４０を検査する検査画像が描かれた薄板であり、本実施例では、矩形状に成形された合成樹脂製の薄板である。検査円盤２２０の凹部２２３は、検査画像シート２８０と略同じ形状に上面２２２から窪む平面を有する。
【００１９】
図２は、検査装置２０の検査円盤２２０を主に示す説明図である。図２では、検査円盤２２０を上面２２２から見た上面図が図示されている。図２には、検査装置２０の検査台２４０が破線を用いて図示され、検査台２４０によって保持されたマウススキャナー４０が一点鎖線を用いて図示されている。マウススキャナー４０は、原稿を撮像する撮像部４３０を備え、図２には、撮像部４３０が一点鎖線を用いて図示されている。
【００２０】
マウススキャナー４０の撮像部４３０は、原稿に光を照射して原稿における矩形状の領域を撮像する撮像装置であり、図２には、撮像部４３０によって撮像可能な矩形状の撮像領域に、右上がりのハッチングが施されている。本実施例では、撮像部４３０は、６４０列×４８０行に配列された複数のフォトダイオードを有するＣＭＯＳ(Complementary Metal Oxide Semiconductor)センサーを備え、マウススキャナー４０の中央部に設けられている。
【００２１】
図２に示すように、検査円盤２２０の上面２２２には、複数の凹部２２３が円周２２８に沿って略均等な間隔で配設され、複数の検査画像シート２８０は、複数の凹部２２３の各々にそれぞれ保持されることによって円周２２８上に配列される。本実施例では、検査画像シート２８０が配列される円周２２８は、検査円盤２２０の外周と同心円である。本実施例では、検査画像シート２８０は、マウススキャナー４０の撮像部４３０よりも大きな矩形状である。
【００２２】
本実施例の説明では、検査画像シートを一般的に示す場合には、「２８０」の符号を用い、検査画像シートを個別に示す場合には、「２８０」の後に英文字や数字を付加した符号を用いる。例えば、図２に示す例では、検査円盤２２０には１２個の検査画像シート２８０が円周２２８上に配列され、これらの検査画像シートを個別に示す場合には、図２において検査台２４０に重なり合う位置にある検査画像シートから左回りの順に、「２８０ａ１」、「２８０ａ２」、「２８０ｂ１」、「２８０ｂ２」、「２８０ｂ３」、「２８０ｂ４」、「２８０ｃ」、「２８０ｄ１」、「２８０ｄ２」、「２８０ｄ３」、「２８０ｅ１」「２８０ｅ２」の符号を用いる。
【００２３】
検査画像シート２８０ａ１，２８０ａ２は、マウススキャナー４０によって読み取られた画像データの明るさを検査する検査画像を有する。本実施例では、検査画像シート２８０ａ１は、白色に塗り潰された検査画像を有し、検査画像シート２８０ａ２は、黒色に塗り潰された検査画像を有する。
【００２４】
検査画像シート２８０ｂ１，２８０ｂ２，２８０ｂ３，２８０ｂ４は、マウススキャナー４０によって読み取られた画像データの画素欠損を検査する検査画像を有する。本実施例では、検査画像シート２８０ｂ１，２８０ｂ２，２８０ｂ３，２８０ｂ４は、等間隔に複数の平行線がそれぞれ異なる角度で描かれた検査画像を有する。
【００２５】
検査画像シート２８０ｃは、マウススキャナー４０によって読み取られた画像データにおける拡大誤差を検査する検査画像を有し、本実施例では、白黒の市松模様が描かれた検査画像を有する。
【００２６】
検査画像シート２８０ｄ１，２８０ｄ２，２８０ｄ３は、マウススキャナー４０によって読み取られた画像データの色味を検査する検査画像を有する。本実施例では、検査画像シート２８０ｄ１は、赤色に塗り潰された検査画像を有し、検査画像シート２８０ｄ２は、緑色に塗り潰された検査画像を有し、検査画像シート２８０ｄ３は、青色に塗り潰された検査画像を有する。
【００２７】
検査画像シート２８０ｅ１は、クロスハッチングが描かれた検査画像を有する。検査画像シート２８０ｅ２は、検査画像シート２８０ａ１と同様に、白色に塗り潰された検査画像を有する。
【００２８】
図１の説明に戻り、検査装置２０のステップモーター２３０は、検査円盤２２０を円周２２８に沿って回転させる円盤回転部として機能する。本実施例では、ステップモーター２３０は、検査円盤２２０の歯車２２４に噛み合うことによって回転動力を検査円盤２２０に伝達する駆動歯車２３４を備える。本実施例では、ステップモーター２３０は、パーソナルコンピューター３０からの制御信号に基づいて回転動力を発生させる。
【００２９】
検査装置２０の検査台２４０は、検査円盤２２０に配列された検査画像シート２８０から離して検査画像シート２８０を読み取り可能にマウススキャナー４０を円周２２８上に保持する保持部として機能する。図２に示すように、本実施例では、検査台２４０は、検査円盤２２０の上面２２２の上方において、マウススキャナー４０の撮像部４３０を検査円盤２２０に投影した矩形領域の図心が円周２２８上に略重なり合う位置にマウススキャナー４０を位置決めする。
【００３０】
検査装置２０のクランプ２５０は、検査台２４０にマウススキャナー４０に押し付けることによってマウススキャナー４０を検査台２４０に固定する。
【００３１】
検査装置２０の位置検出部２６０は、検査円盤２２０の回転位置を検出する。本実施例では、位置検出部２６０は、検査円盤２２０の下方に設けられ、検査円盤２２０にレーザー光を照射し、その反射光の強度に基づいて回転位置を検出する光学式の位置検出装置である。本実施例では、位置検出部２６０は、パーソナルコンピューター３０に電気的に接続され、回転位置を示す検出信号をパーソナルコンピューター３０に出力する。
【００３２】
図３は、検査システム１０の電気的な構成を示す説明図である。検査システム１０のパーソナルコンピューター３０は、回転制御部３１２と、画像取得部３１４と、診断部３１６と、機器インターフェース３８０とを備える。
【００３３】
パーソナルコンピューター３０の機器インターフェース３８０は、検査装置２０およびマウススキャナー４０と電気的に接続する。本実施例では、機器インターフェース３８０は、検査装置２０の位置検出部２６０から検出信号の入力を受け付け、検査装置２０のステップモーター２３０に制御信号を出力する。本実施例では、機器インターフェース３８０は、マウススキャナー４０と接続するインターフェースとして、ＵＳＢ（Universal Serial Bus）規格に準拠したインターフェースを備える。
【００３４】
パーソナルコンピューター３０の回転制御部３１２は、検査装置２０の位置検出部２６０によって検出された回転位置に基づいてステップモーター２３０による検査円盤２２０の回転を制御することによって、検査台２４０に保持されたマウススキャナー４０に複数の検査画像シート２８０の各々を対面させる。
【００３５】
パーソナルコンピューター３０の画像取得部３１４は、回転制御部３１２による検査円盤２２０の回転に同期して、マウススキャナー４０に対面する検査画像シート２８０を読み取った画像データをマウススキャナー４０から取得する。
【００３６】
パーソナルコンピューター３０の診断部３１６は、画像取得部３１４によって取得された画像データに基づいてマウススキャナー４０を診断する。
【００３７】
本実施例では、パーソナルコンピューター３０における回転制御部３１２、画像取得部３１４、診断部３１６の各機能は、プログラムに基づいてセントラルプロセッシングユニット（Central Processing Unit、以下、「ＣＰＵ」と呼ぶ）が動作することによって実現されるが、他の実施形態において、パーソナルコンピューター３０の電子回路がその物理的な回路構成に基づいて動作することによって、パーソナルコンピューター３０の機能の少なくとも一つが実現されても良い。
【００３８】
検査対象であるマウススキャナー４０は、撮像部４３０の他、制御部４１０と、位置検出部４２０と、メモリー４７０と、機器インターフェース４８０と、操作受付部４９０とを備える。
【００３９】
マウススキャナー４０の制御部４１０は、マウススキャナー４０の各部を制御する。マウススキャナー４０の位置検出部４２０は、原稿にレーザー光を照射し、その反射光の強度に基づいて位置を検出する光学式の位置検出装置である。マウススキャナー４０のメモリー４７０は、不揮発性メモリーであり、マウススキャナー４０を校正する校正値を記憶する。
【００４０】
マウススキャナー４０の機器インターフェース４８０は、本実施例では、ＵＳＢ規格に準拠したインターフェースであり、マウススキャナー４０と協働して原稿の読み取りを行うコンピューターと電気的に接続する。マウススキャナー４０の操作受付部４９０は、マウススキャナー４０を操作するユーザーからの操作入力を受け付けるユーザーインターフェースであり、本実施例では、押しボタンやスクロールボタンを含む。
【００４１】
Ａ２．検査システムの動作：
図４は、検査システム１０のパーソナルコンピューター３０が実行する読み取り検査処理（ステップＳ１０）を示すフローチャートである。本実施例では、マウススキャナー４０を検査する作業者から指示入力を受け付けると、パーソナルコンピューター３０は、読み取り検査処理（ステップＳ１０）を開始する。
【００４２】
読み取り検査処理（ステップＳ１０）を開始すると、パーソナルコンピューター３０は、検査装置２０における検査円盤２２０を図２に示した基準位置に移動させ、マウススキャナー４０の位置検出部４２０から出力される信号に基づいて、マウススキャナー４０が検査装置２０に適切に取り付けられていることを確認する（ステップＳ１００）。
【００４３】
マウススキャナー４０の取り付けを確認した後（ステップＳ１００）、パーソナルコンピューター３０は、検査円盤２２０に配列された複数の検査画像シート２８０のうちの一つを検査画像として選択する（ステップＳ２００）。本実施例では、パーソナルコンピューター３０は、最初に、検査画像シート２８０ａ１を選択し、その後、左回りに、検査画像シート２８０ａ２，２８０ｂ１，２８０ｂ２，・・・，２８０ｄ３を順に選択する。本実施例では、パーソナルコンピューター３０は、検査画像シート２８０ｅ１，２８０ｅ２については検査画像から除外するが、他の実施形態において、複数の検査画像シート２８０の全てを検査画像として選択しても良い。
【００４４】
検査画像として検査画像シート２８０を選択した後（ステップＳ２００）、パーソナルコンピューター３０は、回転制御部３１２として動作することによって、検査画像に選択された検査画像シート２８０がマウススキャナー４０に対面するように検査円盤２２０を回転させる（ステップＳ３００）。
【００４５】
検査円盤２２０を回転させた後（ステップＳ３００）、パーソナルコンピューター３０は、画像取得部３１４として動作することによって、検査画像に選択された検査画像シート２８０に対面するマウススキャナー４０の撮像部４３０によって撮像された画像データを取得する（ステップＳ４００）。
【００４６】
検査画像に選択された検査画像シート２８０を読み取った画像データを取得した後（ステップＳ４００）、パーソナルコンピューター３０は、診断部３１６として動作することによって、マウススキャナー４０から取得した画像データに基づいて、マウススキャナー４０の読み取り機能を診断する（ステップＳ５００）。
【００４７】
マウススキャナー４０の診断結果が正常である場合（ステップＳ６０２：「ＹＥＳ」）、パーソナルコンピューター３０は、複数の検査画像シート２８０のうち選択の対象となる全ての検査画像を選択し終えるまで、検査画像の選択（ステップＳ２００）からの処理を繰り返し実行する（ステップＳ６０４：「ＮＯ」）。
【００４８】
検査画像に選択された検査画像シート２８０に基づく診断の全てが正常である場合（ステップＳ６０４：「ＹＥＳ」）、パーソナルコンピューター３０は、合格処理（ステップＳ７０２）を実行する。合格処理（ステップＳ７０２）において、パーソナルコンピューター３０は、検査対象であるマウススキャナー４０が読み取り検査に合格である旨を作業者に報知する。
【００４９】
他方、検査画像に選択された検査画像シート２８０に基づく診断のいずれか一つが異常である場合（ステップＳ６０２：「ＮＯ」）、パーソナルコンピューター３０は、不合格処理（ステップＳ７０４）を実行する。不合格処理（ステップＳ７０４）において、パーソナルコンピューター３０は、検査対象であるマウススキャナー４０が読み取り検査に不合格である旨を作業者に報知する。
【００５０】
合格処理（ステップＳ７０２）および不合格処理（ステップＳ７０４）の後、パーソナルコンピューター３０は、読み取り検査処理（ステップＳ１０）を終了する。
【００５１】
Ａ３．効果：
以上説明した検査装置２０によれば、検査円盤２２０を回転させることによって複数の検査画像シート２８０の各々にマウススキャナー４０を対面させることができるため、マウススキャナー４０の読み取り検査における作業効率を向上させることができる。
【００５２】
また、回転制御部３１２、画像取得部３１４、診断部３１６の各機能を備えるパーソナルコンピューター３０を用いることによって、複数の検査画像シート２８０の各々について、マウススキャナー４０に対する位置合わせから、画像データの取得、マウススキャナー４０の診断までの一連の作業をパーソナルコンピューター３０で行うことができるため、マウススキャナー４０の読み取り検査における作業効率を更に向上させることができる。
【００５３】
Ｂ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。
【００５４】
例えば、本実施例では、ステップモーター２３０による検査円盤２２０の回転をパーソナルコンピューター３０によって制御したが、他の実施形態において、検査円盤２２０の回転を手動で行っても良い。
【００５５】
また、本実施例では、パーソナルコンピューター３０を用いて検査装置２０およびマウススキャナー４０を制御したが、他の実施形態において、検査装置２０が、回転制御部３１２、画像取得部３１４、診断部３１６、機器インターフェース３８０に相当する各種の機能要素を備えるとしても良い。
【００５６】
また、本実施例では、マウススキャナー４０を固定した状態で検査円盤２２０を回転させることによって、マウススキャナー４０と検査円盤２２０との間の位置関係を相対的に移動させたが、他の実施形態において、検査円盤２２０を固定した状態でマウススキャナー４０を移動させても良いし、マウススキャナー４０および検査円盤２２０の両方を移動させても良い。
【００５７】
また、本実施例では、検査装置２０の検査台２４０は、一つのマウススキャナー４０を保持するとしたが、他の実施形態において、複数のマウススキャナー４０を保持しても良い。図５は、他の実施形態における検査円盤２２０および検査台２４０を主に示す説明図である。図５に示す例では、検査台２４０は、三つのマウススキャナー４０を円周２２８に沿って略均等な間隔で配列して保持する。これによって、複数のマウススキャナー４０を一度に検査することができるため、マウススキャナー４０の読み取り検査における作業効率を更に向上させることができる。
【００５８】
また、本実施例では、位置検出部２６０は、検査円盤２２０の回転位置を検出するセンサーであり、位置検出部２６０によって検出された回転位置に基づいてステップモーター２３０による検査円盤２２０の回転を制御するが、他の実施形態において、位置検出部２６０は、検査円盤２２０のホームポジション（定位置）を検出するセンサーであり、位置検出部２６０によって検出されるホームポジションを基準にしたオープンループ制御を実施することによって、検査円盤２２０の回転を制御しても良い。
【符号の説明】
【００５９】
１０…検査システム
２０…検査装置
３０…パーソナルコンピューター
４０…マウススキャナー
２１０…基台
２２０…検査円盤
２２２…上面
２２３…凹部
２２４…歯車
２２８…円周
２３０…ステップモーター
２３４…駆動歯車
２４０…検査台
２５０…クランプ
２６０…位置検出部
２８０…検査画像シート
２８０ａ１−２，２８０ｂ１−４，２８０ｃ，２８０ｄ１−２，２８０ｅ１−２…検査画像シート
３１２…回転制御部
３１４…画像取得部
３１６…診断部
３８０…機器インターフェース
４１０…制御部
４２０…位置検出部
４３０…撮像部
４７０…メモリー
４８０…機器インターフェース
４９０…操作受付部
【図１】
2010262505.tif 000003
【図２】
2010262505.tif 000004
【図３】
2010262505.tif 000005
【図４】
2010262505.tif 000006
【図５】
2010262505.tif 000007